(57)【要約】ｃｄｍａ２０００又はＵＭＴＳのようなスペクトル拡散通信システム（１００）において加入者装置（１２０）に補足チャネルのためのリンクをハンドオフ期間中に割り当てるための技術が用いられる。該技術は、キュー遅延（２２０）により決定されたパケット送信時間（２２１）に加入者装置への送信用データ・パケットをキューに入れるステップ、実質的にパケット送信時間に測定された加入者装置の少なくとも２つのアクティブ・ダウンリンク（１２５）のパイロット信号強度測定値を獲得するステップ、及びパイロット信号強度測定値から少なくとも２つのアクティブ・ダウンリンクのうちの最強のものを決定するステップを含む。パイロット信号強度測定値は、加入者装置のためのパイロット信号測定時間（ＰＳＭＴ）を決定し、パイロット信号測定遅延（ＰＳＭＤ）をＰＳＭＴ及びキュー遅延から計算し、且つパイロット信号測定応答（ＰＳＭＲＱ）を加入者装置にＰＳＭＤ後に送信することにより獲得される。
2004504763.tif 000002
【特許請求の範囲】
【請求項１】
スペクトル拡散通信システムにおいて、加入者装置に補足チャネルを割り当てるためハンドオフ期間中に用いる方法であって、
キュー遅延により決定されたパケット送信時間に、前記加入者装置へ送信するためのデータ・パケットをキューに入れるステップと、
実質的にパケット送信時間に測定された前記加入者装置の少なくとも２つのアクティブ・ダウンリンクのパイロット信号強度測定値を獲得するステップと、
前記パイロット信号強度測定値から前記少なくとも２つのアクティブ・ダウンリンクのうちの最強のものを決定するステップと
を備える方法。
【請求項２】
前記少なくとも２つのアクティブ・ダウンリンクのうちの最強のものを含むアクティブ・リンクの補足チャネルを前記加入者装置に割り当てるステップを更に備える請求項１記載の方法。
【請求項３】
パイロット信号強度測定値を獲得する前記ステップは、
前記加入者装置のためのパイロット信号測定時間（ＰＳＭＴ）を決定するステップと、
パイロット信号測定遅延（ＰＳＭＤ）をＰＳＭＴ及びキュー遅延から計算するステップと、
パイロット信号測定要求（ＰＳＭＲＱ）を前記加入者装置にＰＳＭＤ後に送信するステップと
を備える請求項１記載の方法。
【請求項４】
前記パイロット信号測定遅延（ＰＳＭＤ）が、更に時間マージンに基づいており、且つ
【数１】
2004504763.tif 000003
として決定される請求項２記載の方法。
【請求項５】
前記のキューに入れるステップ、前記の獲得するステップ、及び前記の決定するステップのうちの少なくとも１つのステップは、前記通信システムの無線ネットワーク制御装置により実行される請求項１記載の方法。
【請求項６】
前記のキューに入れるステップ、前記の獲得するステップ、及び前記の決定するステップのうちの少なくとも１つのステップは、基地送信機サイトにより実行される請求項１記載の方法。
【請求項７】
キュー遅延が許容遅延より大きいとき、データ・パケットをキューから落とすステップを更に備える請求項１記載の方法。
【請求項８】
最も最近のパイロット信号測定応答（ＰＳＭＲＳ）が陳腐でなく且つＰＳＭＴが許容遅延より大きいとき、データ・パケットをキューから落とすステップを更に備える請求項２記載の方法。
【請求項９】
最も最近のパイロット信号測定応答（ＰＳＭＲＳ）が陳腐であり且つＰＳＭＴが許容キューより大きく且つ許容遅延より大きいとき、データ・パケットをキューから落とすステップを更に備える請求項２記載の方法。
【請求項１０】
補足チャネルを加入者装置にハンドオフ期間中に割り当てるスペクトル拡散通信システム用コンピュータにおいて、
プログラムされた命令を実行する中央処理装置と、
プログラムされた命令及びデータ・パケットを格納するメモリと、を備え、
前記プログラムされた命令は、
キュー遅延により決定されたパケット送信時間に、前記加入者装置へ送信するためのデータ・パケットをキューに入れ、
実質的にパケット送信時間に測定された前記加入者装置の少なくとも２つのアクティブ・ダウンリンクのパイロット信号強度測定値を獲得し、
前記パイロット信号強度測定値から前記少なくとも２つのアクティブ・ダウンリンクのうちの最強のものを決定する
機能を実行するようプロセッサを制御する、コンピュータ。
【発明の詳細な説明】
【０００１】
［発明の分野］
本発明は、一般的にスペクトル拡散通信システムに関し、特に、スペクトル拡散システムにおいてソフト・ハンドオフ中に、（ＣＤＭＡ２０００システムの）補足チャネル又は（ＵＭＴＳシステムにおける）ダウンリンク共用チャネルでのデータ・パケット伝送に対して最適リンクを割り当てる方法及び装置に関する。
【０００２】
［発明の背景］
通信システムは、周知であり、そして陸上移動無線、セルラ無線電話、パーソナル移動通信システム（ＰＣＳ）及び他の通信システムのタイプを含む多くのタイプから成る。通信システム内で、伝送は、送信装置と受信装置との間で、通常通信チャネルと呼ばれる通信資源を介して行われる。伝送は、主として音声信号と低速度データ信号から成るよう用いた。しかしながら、ごく最近、高速度データ信号のため無線通信システムを用いることが提案されてきた。動作を容易にするため、データ伝送能力を既存の音声通信能力に重ね合わせ、それによりその動作が、相変わらず音声通信システムの通信資源及び他の基盤施設（インフラストラクチャ）を利用しながら音声通信システムに対して本質的に透過的（トランスペアレント）であることが好ましい。
【０００３】
現在開発されつつある透過型データ通信能力を有する２つのそのような通信システムは、次世代符号分割多元接続（ＣＤＭＡ）セルラ通信システム又はｃｄｍａ２０００、及び次世代の移動通信用グローバル・システム（ＧＳＭ）又は汎用移動電話システム（ＵＭＴＳ）として知られているスペクトル拡散通信システムである。これらの周知のスペクトル拡散通信システム内では、全ての加入者装置の送信が同時に１つの周波数帯域内で起こり、そして全ての基地局の送信が同時に１つの周波数帯域内で起こる。従って、基地局又は加入者装置での受信信号は、個々の加入者装置又は基地局装置のそれぞれからの多数の周波数及び時間的に重なり且つ符号化された信号を有する。これらの信号の各々は、同時に同じ無線周波数（ＲＦ）で送信され、そしてその特定の符号化（チャネル）によってのみ区別可能である。
【０００４】
スペクトル拡散通信システム内で、加入者は、通常、情報を通信システムと加入者装置との間で通信するため用いられる少なくとも１つのリンクを割り当てられる。各リンクは、情報を加入者装置と基地送信機サイトの（地理的）セクタとの間で通信するため割り当てられるチャネルを備える。全てのリンクは、セットアップ及びリンクの信号強度のモニタを含む幾つかの目的のため用いられるパイロット信号と呼ばれる１つのチャネルを含む。該リンクはまた、音声呼びの持続時間中に１つの加入者装置に対してのみ専用にされ且つ音声情報を加入者装置と通信システムとの間で転送するため用いられる「基本チャネル」と本明細書で名付けるものを備える。本明細書で名付けられた基本チャネルは、ｃｄｍａ２０００通信システムでは基本チャネルと呼ばれるが、しかしＵＭＴＳ通信システムでは専用チャネルと呼ばれる。該リンクはまた、高速ディジタル情報を加入者装置と通信システムとの間で転送するため加入者装置に割り当てられる補足チャネルと本明細書で呼ばれるものを備えるが、しかしその割り当てはデータの転送を達成するのに必要である限りの間だけ続く。本明細書で名付けられた補足チャネルは、ｃｄｍａ２０００通信システムでは補足チャネルと呼ばれるが、しかしＵＭＴＳ通信システムでは共用チャネルと呼ばれる。ｃｄｍａ２０００通信システムの補足チャネル及びＵＭＴＳシステムの共用チャネルは一部全く異なる特性を有するにも拘わらず、それらはまた、一部共通の特性を共有する。同じものは、ｃｄｍａ２０００システムの基本チャネルとＵＭＴＳシステムの専用チャネルとに対して当てはまる。
【０００５】
加入者装置が通信システムで用いられているある時間に、唯１つのリンクは、基地送信機サイトから加入者装置へのリンク（ダウンリンク）の強度が安定した高品質のサービスを与えるに十分であると決定されたので、加入者装置に割り当てられる。しかしながら、他の時間には、加入者は、通信システム内において、唯１つのダウンリンクも安定した高品質のサービスを与えることができないが、比較的低い品質のダウンリンクが比較的多くの基地送信機サイト・セクタに対して可能である点に位置される。両方の条件が１つの音声呼びの間の異なる時間に起こることがある。スペクトル拡散通信システムの独特の様相は、スペクトル拡散通信システム及び符号化技術の使用が同じ情報を搬送する多重受信信号を組み合わせることを可能にすることである。該組み合わせは、個々の信号の信号強度を一緒に合算し、そして多くの場合高品質の受信信号を幾つかのダウンリンクから与えることができる。この組み合わせは、通常、複数のダウンリンクのうちの１つがそれ自身により高品質のサービスを与えるに十分な程強くなるまで、スペクトル拡散通信システムにおいて基本チャネル（音声チャネル）に対して用いられ、その時間に全ての他のリンクが落とされる。しかしながら、該組み合わせは補足チャネルに対して許されない。それは、補足チャネルが電力及び帯域幅に関してＲＦ資源の相当な部分を占有するからであり、且つ補足チャネルが通常音声呼びと比較して非常に短いからである。上記組み合わせが起こる時間期間は、「ソフト・ハンドオフ期間」又は「ハンドオフ期間」と呼ばれ、そしてその動作は、当業者により「ハンドオフ」と呼ばれる。それは、そのことが、新しい単一のリンクが割り当てられ且つ古いリンクが落とされるとき共通に起こるからである。用語「ソフト・ハンドオフ期間」及び「ハンドオフ期間」はまた、本明細書においては、基本チャネルが組み合わせモードで動作するであろうが、しかし加入者装置に割り当てられない（例えば、発生している音声呼びがないので）時間期間に対して用いられる。ハンドオフ期間中に、組み合わせるための加入者装置に割り当てられる又は割り当てられるであろうリンクは、アクティブ・リンクと呼ばれる。
【０００６】
加入者装置がハンドオフ期間中に動作状態にないとき、補足チャネルが、同じリンクに対してパイロット・チャネルとして割り当てられ、そして補足チャネルに対するサービスの品質が十分であろう。しかしながら、ハンドオフ中には、複数の要因の組み合わせのため補足チャネルを用いてデータ・パケットの伝送のための最良のダウンリンクを正確に決定する点に問題がある。その要因とは、典型的なデータ・パケットの短いこと、データ・パケットがシステムのキューイング遅延（ｓｙｓｔｅｍ　ｑｕｅｉｎｇ　ｄｅｌａｙｓ）に起因して送信されるであろう時に関する不確かさ、及びデータ・パケットが送信される瞬間にアクティブ・リンクの信号強度を知ることの困難さである。
【０００７】
従って、必要なものは、スペクトル拡散システムにおいてハンドオフ期間中に補足チャネル割当てのため最良なリンクを選択する技術である。
新規と確信する本発明の特徴が特許請求の範囲に詳細に記載されている。しかしながら、本発明自体は該発明の以下の詳細な説明を参照することにより最良に理解され得て、それは本発明のある一定の例証的実施形態を添付図面と関係して説明するものである。
【０００８】
［好適な実施形態の説明］
本明細書の以下において用いられる用語の定義は前述したそれと同一である。本発明は多くの異なる形式の実施形態が可能であるが、特定の実施形態が図面に示されそして本明細書に詳細に記載され、そしてこの開示は、本発明の原理の一例として見なされ、本発明を図示され説明された特定の実施形態に限定する意図でないことを理解すべきである。更に、本明細書で用いられる用語及び単語は、限定と見なすべきでなく、むしろ単に説明であると考えるべきである。以下の説明では、類似の参照番号が、図面の幾つかの表示において同じ、類似の、又は対応する構成要素を述べるため用いられている。
【０００９】
一般的に、本発明の一局面は、加入者装置に補足チャネル用リンクを割り当てるためスペクトル拡散通信システムでのハンドオフ期間中に用いられる技術である。該技術は、キュー遅延により決定されたパケット送信時間に加入者装置へ送信するためのデータ・パケットをキューに入れるステップと、パケット送信時間に実質的に測定された加入者装置の少なくとも２つのアクティブ・ダウンリンクのパイロット信号強度測定値を獲得するステップと、パイロット信号強度測定値から少なくとも２つのアクティブ・ダウンリンクのうちの最強のものを決定するステップとを含む。次いで、最強のダウンリンクを含むリンクが、補足チャネルを担持するため割り当てられる。
【００１０】
ここで、図面を、特に図１を参照すると、スペクトル拡散通信システム１００の一部分のブロック図が、本発明の好適な実施形態に従って示されている。スペクトル拡散通信システム１００は、無線ネットワーク制御装置（ＲＮＣ）１０５を備え、該無線ネットワーク制御装置（ＲＮＣ）１０５は、複数の基地送信機サイト（ＢＴＳ）１１０（それらの基地送信機サイト１１０のうちの３つが図１に示されている。）に通常の固定ネットワーク・リンク１１５により結合され、該固定ネットワーク・リンク１１５は、例えば広帯域ケーブル及び光ケーブルを含み得る。基地局サイト１１０は、基地局無線送信機（図１には別個に示されていない。）を含み、該基地局無線送信機は、情報をスペクトル拡散通信システムの割り当てられたチャネル上で送信し、ＲＦエネルギは、当業者には周知のように、各基地局送信機の１つ以上の所定の地理的セクタ内に放射される。スペクトル拡散通信システム１００はまた、複数の加入者装置１２０を備え、それら複数の加入者装置１２０のうちの１つが図１に示されている。加入者装置１２０は、通常のセルラ電話機である。図１に示されている加入者装置１２０はハンドオフ状態にあるよう示され、そこにおいて加入者装置１２０は、基本チャネル上の音声呼びのため３つのアクティブ・リンク１２５を割り当てられている。
【００１１】
ＲＮＣ１０５は、コンピュータ１０６を備え、該コンピュータ１０６は、限定されるものではないが、無線リンク制御機能（ＲＬＣ）１５０及び媒体アクセス制御機能（ＭＡＣ）１６０を含む複数の機能を実行する。コンピュータ１０６は、図２に示されるように、プロセッサ１０７及びメモリ部分（メモリ）１０８を備え、そしてコンピュータ１０６により実行される機能は、メモリ１０８に格納されているプログラムされた命令を実行するプロセッサ１０７により実行されることが認められるであろう。メモリ１０８はまた、上記機能の実行に用いられるデータを格納する。プロセッサ１０７及びメモリ１０８は、通常のコンピュータ・ハードウエア組立体である。プロセッサは、中央処理装置を備え、そして並列入力−出力バッファ、ディジタル／アナログ変換器、アナログ／ディジタル変換器、及び直列データ入力−出力ラインを備えることができる。メモリは、読み出し専用メモリ、ランダム・メモリ及びディスク・メモリのようなものの通常の組み合わせを備える。メモリ１０８に格納されているプログラミング命令の組及びデータの編成は、本明細書で説明される独特の機能を実行するよう独特に設計されている。
【００１２】
ＭＡＣ１６０は、スケジューリング機能（スケジューラ）１６５及びデータ・パケット・キューイング機能（データ・パケット・キュー）１７０を備える。データ・パケットは、加入者装置へ供給するため、ＲＬＣ１５０で受信され、又はＲＬＣ１５０により発生される。例えば、ワールド・ワイド・ウェブ（ＷＷＷ）からＲＮＣ１０５に供給されたウェブ・ページの一部分を搬送するデータ・パケットは、加入者装置１２０に供給のためＲＬＣ１５０により受信される。ＲＮＣ１０５は、データ・パケットをＭＡＣ１６０にハンドオフする。スケジューラ１６５は、どのリンクがデータ・パケットの送信のため加入者装置１２０へ割り当てられるべきか（即ち、どの基地送信機サイト１１０に補足チャネルを有するリンクが割り当てられるべきか）を決定し、そして同じ優先順位の全てのデータ・パケットが送信されてしまった後の送信のためデータ・パケットをデータ・パケット・キュー１７０に転送する。
【００１３】
本明細書に詳細に記載されている部分がＲＮＣ１０５で実行されることが好ましいにも拘わらず、ＭＡＣ１６０の一部分は代替としてＢＴＳ１１０に備わっていることができることが認められるであろう。
【００１４】
ここで図３を参照すると、パイロット信号測定メッセージのタイミング図が、本発明の好適な実施形態に従って示されている。スペクトル拡散通信システム１００の正常動作中に、パイロット信号強度測定（ＰＳＳＭ）は、無線ネットワーク制御装置１０５又は基地送信機サイト１１０により指示された様々な時間に加入者装置１２０により行われる。これらのＰＳＳＭは、スペクトル拡散通信システム１００の通常機能である機能を用いて行うことができ、又はそれらＰＳＳＭは、本発明の好適な実施形態に従って実行される、本明細書で説明される独特の機能を用いて行うことができる。ＰＳＳＭは、所定のコマンドであるパイロット信号測定要求（ＰＳＭＲＱ）２０６により開始される。ＰＳＭＲＱ２０６を受信した後に、加入者装置１２０は、全てのアクティブ・ダウンリンクに対してパイロット信号強度を測定し、そして加入者装置は、ＰＳＭを含むデータ・パケットであるパイロット信号測定応答（ＰＳＭＲＳ）２０７を送信する。これらのＰＳＭＲＱ２０６及びＰＳＭＲＳ２０７の幾つかの対が、図３の左側に、第１の時間スケール２０１を用いて示されている。第１の時間スケール２０１より圧縮が少ない時間スケールである第２の時間スケール２０２上に、これらのＰＳＭＲＱ２０６及びＰＳＭＲＳ２０７の２つの他の対２０８、２０９が示されている。ＰＳＭＲＱ２０６とそれと対応のＰＳＭＲＳ２０７との間の時間は、本明細書でパイロット信号測定時間（ＰＳＭＴ）２０５と呼ばれるが、この時間は、時間的に十分近くで生じる任意の２つの対に対してほぼ同じである傾向が有る。ＰＳＭＴに対する典型的値は１５０ミリ秒である。これを別の言い方では、より遅い時間での実際の信号強度に対するＰＳＳＭの相関は、時間期間に対してのみ高く、即ち典型的には１０００から２０００ミリ秒である。ＲＬＣ１５０がデータ・パケットをＭＡＣ１６０にハンドオーバ期間中に転送するとき（この発生は図３において時間２１５として示されている。）、スケジューラ１６５は、キュー遅延２２０、パケット送信時間２２１、及びデータ・パケットに対する最後のＰＳＭＲＳ時間２１１を決定する。キュー遅延２２０は、別のデータ・パケットがデータ・パケット・キュー１７０に置かれる又はそれから送信される前にデータ・パケットがデータ・パケット・キュー１７０に置かれる場合、該データ・パケットが経験するであろう遅延（時間２１５から送信時間２２１まで）である。最後のＰＳＭＲＳ時間２１１は、最後のＰＳＭＲＳ２０７からデータ・パケットが受信される時間２１５までの持続時間である。次いで、本明細書において以下に説明される詳細に従って、ＰＳＭＲＱ２０６は、ある一定の条件下で、基地送信機サイト１１０により、現在加入者装置１２０に割り当てられているアクティブ・リンク（又は処理中に音声呼びがあるとすれば割り当てられるであろうアクティブ・リンク）の基本チャネル上に送信される。このＰＳＭＲＱ２０６の送信は、パイロット信号測定遅延（ＰＳＭＤ）２１０後に生じる。加入者装置１２０は、キュー遅延の前で、以下に説明される時間マージン２３０にほぼ等しい持続時間だけＰＳＭＲＳ２０７を送信する。許容遅延２２５がまた図３に示され、その許容遅延２２５は、加入者装置１２０のため意図されたデータ・パケットに対して許される最大遅延量を表し、加入者装置１２０に割り当てられるサービスの程度に対応する。
【００１５】
ここで図４を参照すると、スペクトル拡散通信システム１００のコンピュータ１０６で用いられる方法のフローチャートが、本発明の好適な実施形態に従って示されている。ステップ４１０において、ＲＮＣ１０５は、複数のＰＳＭがいずれのアクティブな加入者装置から受信されるにつれ該複数のＰＳＭを受け入れ、そして加入者装置１２０からのそれらを用いて、加入者装置１２０によりアクティブな使用状態にある各リンクに対して、推定されたＰＳＭＴ２０５を更新する。更新時間も記録され、その更新時間は最も最近のＰＳＭＲＳ２０７が受信された時間である。更新された推定値は、最も最近のＰＳＳＭ及び複数の他のより古いＰＳＳＭの重み付けされた平均を作る重み付けされた推定値であり、より古いＰＳＭがより減少した重みを与えられればそれだけＰＳＭは一層古い。他の周知の重み付け方法を代替として用いることができるであろう。ステップ４１５において、データ・パケットがＲＬＣ１５０により受信され又は発生され、そしてＭＡＣ１６０に転送される。スケジューラ１６５は、加入者装置１２０がハンドオフ状態にあるか否かを決定する。加入者装置１２０がハンドオフ期間にない場合、スケジューラ１６５は、ステップ４６５において、メッセージをデータ・パケット・キュー１７０に入れ、そしてこの機能を出る。加入者装置１２０がハンドオフ期間にある場合、スケジューラ１６５は、メッセージをデータ・パケット・キュー１７０に入れ、そしてキュー遅延２２０（図３）を決定する。次いで、ステップ４３０において、スケジューラ１６５は、キュー遅延２２０を許容遅延２２５と比較し、そしてキュー遅延２２０が許容遅延２２５より大きくないとき（それは正常に動作している通信システムで典型的な状態である。）、スケジューラ１６５は、最も最近のＰＳＳＭが陳腐（ｓｔａｌｅ）であるか否かを決定する。これは、最後のＰＳＭＲＳ時間２１１を所定の陳腐な時間と比較することにより行われる。上記で示したように、過去のＰＳＳＭが、限定された時間内でのみ実際の現在のパイロット信号強度と十分に相関するので、所定の陳腐な時間は、最も最近のＰＳＳＭの相関が良好であることを保証するよう選定される。最後のＰＳＭＲＳ時間２１１が陳腐な時間より大きいとき、特定のＰＳＭＲＳ１０７、及びそれと関連したＰＳＳＭは陳腐であると考えられる。かなり頻繁に生じるこのケースにおいては、スケジューラ１６５は、次いで、ＰＳＭＴがキュー遅延より大きいか否かを決定する。これは、通常そのケースではないであろうが、そのケースに応答して、スケジューラ１６５は、ステップ４４５において、推定されたＰＳＭＴ２０５及び時間マージン２３０をキュー遅延から差し引くことによりＰＳＭＤ２１０を決定し、そしてステップ４４６において、データ・パケットが時間２１５に受信された後のある遅延時間にＰＳＭＲＱ２０６が加入者装置に送信されるようにする。この遅延時間は、丁度計算されたＰＳＭＤ２１０である。データ・パケットが受信された後でＰＳＭＲＱ２０６を送信するこの独特の方法は、データ・パケットが時間マージン２３０の量だけ送信されるべき時間前にＰＳＭＲＳ２０７が受信されることをもたらすことを分かることができる。時間マージン２３０は、ステップ４５０において、コンピュータ１０６がアクティブ・リンク１２５から最良のダウンリンクの選定を行い、そしてデータ・パケットの送信に使用のため最良のダウンリンクを有するリンク上に補足チャネルのセットアップを達成する期間である。その選定は、測定値から最良のダウンリンクを決定する通常の方法を用いて、データ・パケットの送信の直前に得られたパイロット信号測定値を用いて行われる。
【００１６】
ステップ４３０においてキュー遅延２２０が許容遅延２２５より大きいと決定されるとき、データ・パケットがステップ４６０においてデータ・パケット・キューから落とされる。最も最近のＰＳＭＲＳ２０７がステップ４３５において陳腐でないと決定され、且つＰＳＭＴ２０５がステップ４５５において許容遅延２２５より大きいとき、データ・パケットは、ステップ４６０においてデータ・パケット・キューから落とされる。最も最近のＰＳＭＲＳ２０７がステップ４３５において陳腐であると決定され、且つＰＳＭＴ２０５がステップ４４０においてキュー遅延２２０より大きく且つステップ４５５において許容遅延２２５より大きいと決定されるとき、データ・パケットは、ステップ４６０においてデータ・パケット・キューから落とされる。
【００１７】
図４を参照して説明されたフローチャートのステップの一部は、前述したのと異なる順序で実行されることができ、そして同じ結果が異なるステップで達成されることができることが認められるであろう。例えば、異なる順序で実行されたステップは、ステップ４３０、４３５、４４０及び４５５により生じる論理的結果を達成することができるであろう。
【００１８】
本発明の好適なそして他の実施形態が図示されそして記載されたが、本発明がそれに限定されないことは明らかであろう。多数の修正、変化、変更、代替、及び均等物が、特許請求の範囲に定義される本発明の趣旨及び範囲から逸脱することなく当業者に想到されるであろう。
【図面の簡単な説明】
【図１】
図１は、本発明の好適な実施形態に従った、スペクトル拡散通信システムの一部のブロック図を示す。
【図２】
図２は、本発明の好適な実施形態に従った、図１に示されるスペクトル拡散通信システムの無線ネットワーク制御装置で用いられるコンピュータのブロック図を示す。
【図３】
図３は、本発明の好適な実施形態に従ったパイロット信号測定メッセージのタイミング図である。
【図４】
図４は、本発明の好適な実施形態に従った、スペクトル拡散通信システムのコンピュータで用いられる方法のフローチャートである。
【図１】
2004504763.tif 000004
【図２】
2004504763.tif 000005
【図３】
2004504763.tif 000006
【図４】
2004504763.tif 000007
【国際公開パンフレット】
2004504763.tif 000008
2004504763.tif 000009
2004504763.tif 000010
2004504763.tif 000011
2004504763.tif 000012
2004504763.tif 000013
2004504763.tif 000014
2004504763.tif 000015
2004504763.tif 000016
2004504763.tif 000017
2004504763.tif 000018
2004504763.tif 000019
2004504763.tif 000020
2004504763.tif 000021
2004504763.tif 000022
2004504763.tif 000023
2004504763.tif 000024
2004504763.tif 000025
【国際公開パンフレット（コレクトバージョン）】
2004504763.tif 000026
2004504763.tif 000027
【国際公開パンフレット（コレクトバージョン）】
2004504763.tif 000028
2004504763.tif 000029
【国際公開パンフレット（コレクトバージョン）】
2004504763.tif 000030
2004504763.tif 000031
【国際調査報告】
2004504763.tif 000032
2004504763.tif 000033
2004504763.tif 000034